(57)【要約】【課題】ガイドレールの小型化を図ると共に、レール部に対して作動アームを簡単に着脱するための作動装置を提供する。【解決手段】  本発明の作動装置４は、壁部Ｗに固定される窓枠２と、窓枠２の一辺を中心に回転可能に支持される障子３と、の間に設けられている。作動装置４は、一端部が窓枠２側に回転可能に連結される作動アーム１２と、障子３に固定されるガイドレール１４と、を備え、ガイドレール１４は、作動アーム１２の他端部に設けられる摺動ピン４４がスライド可能に係合するレール部５２と、レール部５２に対し、障子３の回転方向に沿って摺動ピン４４を係合または離脱させるゲート部５３と、ゲート部５３を開閉可能に設けられる開閉操作部５４と、を含む。【選択図】図２
2017115420.tif 000002
【特許請求の範囲】
【請求項１】
壁部に固定される窓枠と、前記窓枠の一辺を中心に回転可能に支持される障子と、の間に設けられる作動装置であって、
一端部が前記窓枠側に回転可能に連結される作動アームと、
前記障子に固定されるガイドレールと、を備え、
前記ガイドレールは、
前記作動アームの他端部に設けられる摺動部がスライド可能に係合するレール部と、
前記レール部に対し、前記障子の回転方向に沿って前記摺動部を係合または離脱させるゲート部と、
前記ゲート部を開閉可能に設けられる開閉操作部と、を含むことを特徴とする作動装置。
【請求項２】
前記ゲート部は、長穴としての前記レール部に連通する連通路を覆うように設けられ、
前記開閉操作部は、
前記ゲート部にスライド可能に支持され、
前記連通路を閉鎖して前記摺動部のスライドを案内する前記レール部の摺接縁の一部を構成する位置に設定される閉鎖位置と、前記連通路を開放して前記摺動部の挿通を許容する位置に設定される開放位置と、の間でスライドすることを特徴とする請求項１に記載の作動装置。
【請求項３】
前記ゲート部は、前記開閉操作部のスライドに負荷を与え、前記閉鎖位置または前記開放位置に変位した前記開閉操作部を保持する位置保持部を含んでいることを特徴とする請求項２に記載の作動装置。
【請求項４】
前記窓枠に固定される取付部材と、
前記窓枠側に回転可能に設けられるホイール部と、
一端部が前記ホイール部に回転可能に連結され、他端部が前記作動アームの中間部に回転可能に連結される連結アームと、
閉位置に変位させた前記障子を保持するロック機構と、を更に備え、
前記ロック機構は、
前記作動アームに設けられる第１係止部および第２係止部と、
前記障子に設けられる第１被係止部と、
前記取付部材に設けられる第２被係止部と、を含み、
前記障子を閉じる方向に前記ホイール部を回動させると、前記作動アームは、前記第１係止部を前記第１被係止部に係合させると共に前記第２係止部を前記第２被係止部に係合させる方向に移動し、
前記障子を開く方向に前記ホイール部を回動させると、前記作動アームは、前記第１係止部を前記第１被係止部から離脱させると共に前記第２係止部を前記第２被係止部から離脱させる方向に移動することを特徴とする請求項１ないし３のいずれかに記載の作動装置。
【請求項５】
壁部に固定される窓枠と、
前記窓枠の一辺を中心に回転可能に支持される障子と、
前記窓枠と前記障子との間に設けられる請求項１ないし４のいずれかに記載の作動装置と、を備えていることを特徴とするすべり出し窓。
【発明の詳細な説明】
【技術分野】
【０００１】
本発明は、作動装置およびこれを備えるすべり出し窓に関する。
【背景技術】
【０００２】
すべり出し窓は、窓枠の一辺を中心に回転可能に支持される障子を備えている。
【０００３】
特許文献１に記載のすべり出し窓は、窓枠に対して障子の開閉操作を行うための障子開閉装置を備えている。障子開閉装置は、下枠部材に回転自在に設けられる第１アームと、第１アームの先端部に回転自在に連結され、且つ、両端部が下枠部材および下かまちに対してそれぞれ左右方向に移動自在に連結された第２アームと、を備えている。第２アームの下かまち側には、係合ピンが立設されている。下かまちには、左右方向に長い長穴を有するアーム支持部材が固定されている。長穴には、係合ピンがスライド可能に係合している。長穴の一端部には、係合ピンの頭部よりも大径となる頭部通過穴が形成されている。障子を開放したときに係合ピンを頭部通過穴から下方に引き抜くことで、障子を略水平になるまで屋外側に開くことができる。これにより、障子の外面の清掃を簡単に行うことができるようになっている。なお、アーム支持部材には、頭部通過穴を開閉するための穴閉鎖部材が回転自在に取り付けられている。
【先行技術文献】
【特許文献】
【０００４】
【特許文献１】特開２００４−７６４５２号公報
【発明の概要】
【発明が解決しようとする課題】
【０００５】
しかしながら、上記の技術では、長穴を延長して頭部通過穴を形成しなければならないため、アーム支持部材が大型化するという問題があった。また、係合ピンの頭部を頭部通過穴から下方に引き抜くために、第２アームを下方に大きく曲げなければならなかった。したがって、お年寄り等の力の弱い作業者にとって、第２アーム（係合ピン）の着脱作業が困難になる場合があった。
【０００６】
本発明は、上記のような課題を解決するため、ガイドレールの小型化を図ると共に、レール部に対してアームを簡単に着脱するための作動装置およびこれを備えるすべり出し窓を提供する。
【課題を解決するための手段】
【０００７】
上記した目的を達成するため、本発明は、壁部に固定される窓枠と、前記窓枠の一辺を中心に回転可能に支持される障子と、の間に設けられる作動装置であって、一端部が前記窓枠側に回転可能に連結される作動アームと、前記障子に固定されるガイドレールと、を備え、前記ガイドレールは、前記作動アームの他端部に設けられる摺動部がスライド可能に係合するレール部と、前記レール部に対し、前記障子の回転方向に沿って前記摺動部を係合または離脱させるゲート部と、前記ゲート部を開閉可能に設けられる開閉操作部と、を含む。
【０００８】
この構成によれば、摺動部は、障子の回転方向に沿ってゲート部を挿通することで、レール部に係脱（係合または離脱）する。したがって、例えば、レール部の中間部で摺動部を係脱させることができる。これにより、摺動部の係脱構造をレール部の端部に形成する必要がなくなるため、ガイドレールの小型化を図ることができる。また、摺動部が障子の回動方向に沿ってレール部に係脱するため、作動アームの変形を最小限に抑えることができる。これにより、摺動部の係脱作業を小さな力で簡単に行うことができる。
【０００９】
この場合、前記ゲート部は、長穴としての前記レール部に連通する連通路を覆うように設けられ、前記開閉操作部は、前記ゲート部にスライド可能に支持され、前記連通路を閉鎖して前記摺動部のスライドを案内する前記レール部の摺接縁の一部を構成する位置に設定される閉鎖位置と、前記連通路を開放して前記摺動部の挿通を許容する位置に設定される開放位置と、の間でスライドすることが好ましい。
【００１０】
この構成によれば、開閉操作部は、閉鎖位置に変位することで長穴の摺接縁の一部を構成する。これにより、摺動部は、レール部に沿って円滑にスライドすることができる。また、開閉操作部を開放位置に変位させることで、レール部に対する摺動部の係脱作業を簡単に行うことができる。
【００１１】
この場合、前記ゲート部は、前記開閉操作部のスライドに負荷を与え、前記閉鎖位置または前記開放位置に変位した前記開閉操作部を保持する位置保持部を含んでいることが好ましい。
【００１２】
この構成によれば、開閉操作部は、ゲート部にスライド可能に支持されると共に、位置保持部によって変位した位置で保持される。開閉操作部が閉鎖位置に保持されることで、レール部に対する摺動部の円滑なスライドを担保することができる。一方、開閉操作部が開放位置に保持されることで、レール部に対する摺動部の係脱作業を円滑に行うことができる。
【００１３】
この場合、前記窓枠に固定される取付部材と、前記窓枠側に回転可能に設けられるホイール部と、一端部が前記ホイール部に回転可能に連結され、他端部が前記作動アームの中間部に回転可能に連結される連結アームと、閉位置に変位させた前記障子を保持するロック機構と、を更に備え、前記ロック機構は、前記作動アームに設けられる第１係止部および第２係止部と、前記障子に設けられる第１被係止部と、前記取付部材に設けられる第２被係止部と、を含み、前記障子を閉じる方向に前記ホイール部を回動させると、前記作動アームは、前記第１係止部を前記第１被係止部に係合させると共に前記第２係止部を前記第２被係止部に係合させる方向に移動し、前記障子を開く方向に前記ホイール部を回動させると、前記作動アームは、前記第１係止部を前記第１被係止部から離脱させると共に前記第２係止部を前記第２被係止部から離脱させる方向に移動することが好ましい。
【００１４】
この構成によれば、障子を閉じる動作に連動して、作動アームの各係止部は、障子の第１被係止部および取付部材の第２被係止部に係合（ロック）する。一方、障子を開く動作に連動して、作動アームの各係止部は、各被係止部との係合を解除（ロック解除）する。つまり、障子を開閉させるだけで、障子のロック・アンロックを行うことができる。
【００１５】
上記した目的を達成するため、本発明のすべり出し窓は、壁部に固定される窓枠と、前記窓枠の一辺を中心に回転可能に支持される障子と、前記窓枠と前記障子との間に設けられる上記のいずれかに記載の作動装置と、を備えている。
【００１６】
この構成によれば、例えば、レール部の中間部において障子の回転方向に沿って摺動部を係脱させることができる。これにより、摺動部の係脱構造をレール部の端部に形成する必要がなくなるため、ガイドレールの小型化を図ることができる。また、摺動部が障子の回動方向に沿ってレール部に係脱するため、作動アームの変形が抑制され、摺動部の係脱作業を容易に行うことができる。
【発明の効果】
【００１７】
本発明によれば、ガイドレールの小型化を図ることができる。また、レール部に対して作動アームを簡単に着脱することができる。
【図面の簡単な説明】
【００１８】
【図１】本発明の一実施形態に係るすべり出し窓（開状態）を示す側断面図である。
【図２】図１のＩＩ−ＩＩ断面図である。
【図３】本発明の一実施形態に係るすべり出し窓の取付部材および作動アーム等を示す平面図である。
【図４】本発明の一実施形態に係るすべり出し窓の取付部材および作動アーム等を示す背面図である。
【図５】本発明の一実施形態に係るすべり出し窓のガイドレールを示す平面図である。
【図６】本発明の一実施形態に係るすべり出し窓のガイドレールを示す背面図である。
【図７】図６のＶＩＩ−ＶＩＩ断面図である。
【図８】図７の断面図において、開閉操作部を開放位置に変位させた状態を示す断面図である。
【発明を実施するための形態】
【００１９】
以下、本発明の実施の形態について、添付した図面を参照しながら説明する。なお、以下の説明では、便宜上、各図に示す方向を基準にする。
【００２０】
図１ないし図８を参照して、本実施形態に係るすべり出し窓１について説明する。図１はすべり出し窓１（開状態）を示す側断面図である。図２は、図１のＩＩ−ＩＩ断面図である。図３は取付部材１１および作動アーム１２等を示す平面図である。図４は取付部材１１および作動アーム１２等を示す背面図である。図５はガイドレール１４を示す平面図である。図６はガイドレール１４を示す背面図である。図７は、図６のＶＩＩ−ＶＩＩ断面図である。図８は、図７の断面図において、開閉操作部５４を開放位置Ｐ２に変位させた状態を示す断面図である。
【００２１】
図１および図２に示すように、すべり出し窓１は、窓枠２と、障子３と、作動装置４と、を備えている。窓枠２は、建物の壁部Ｗの開口部に固定されている。障子３は、窓枠２の上辺を中心に回転可能に支持されている。作動装置４は、窓枠２と障子３との間に設けられている。なお、以下、障子３を開位置（図１および図２参照）に変位させた場合において、室内側を「基端」とし、室外側を「先端」とし、これらに類する用語を用いて説明する。
【００２２】
窓枠２は、上枠部材２ａと、下枠部材２ｂと、左右一対の縦枠部材２ｃと、を有し、正面から見て矩形環状（枠状）に形成されている。障子３は、窓枠２の開口に嵌合するように、正面から見て矩形状に形成されている。障子３は、矩形環状の障子枠３ａの内側にガラス板３ｂを装着して構成されている。障子枠３ａの下部（下かまち３ｃ）の左後側には、ブラケット３ｄが固定されている（図２参照）。ブラケット３ｄの下面には、第１被係止部としての第１係止ピン７２が下方に向けて延設されている（図２参照）。
【００２３】
図１に示すように、障子３は、左右一対の障子支持機構５を介して窓枠２に取り付けられている。なお、左右一対の障子支持機構５は左右対称に構成されているため、以下、一方（左側）の障子支持機構５についてのみ説明する。障子支持機構５は、縦枠ガイドレール６と、スライダー７と、第１ステー８と、第２ステー９と、を含んでいる。
【００２４】
縦枠ガイドレール６は、上下方向に長く形成され、窓枠２の縦枠部材２ｃに取り付けられている。スライダー７は、縦枠ガイドレール６に上下方向にスライド可能に接続されている。
【００２５】
第１ステー８は、スライダー７と障子枠３ａとの間に架設されている。第１ステー８の一端部（基端部）は、左右方向に延びる回転軸８ａを介してスライダー７に回転可能に連結されている。第１ステー８の他端部（先端部）は、左右方向に延びる回転軸８ｂを介して障子枠３ａの上部に回転可能に連結されている。
【００２６】
第２ステー９は、第１ステー８よりも長く形成されている。第２ステー９は、縦枠ガイドレール６と障子枠３ａとの間に架設されている。第２ステー９の一端部（基端部）は、左右方向に延びる回転軸９ａを介して縦枠ガイドレール６の下端部に回転可能に連結されている。第２ステー９の他端部（先端部）は、左右方向に延びる回転軸９ｂを介して障子枠３ａの上下方向中間部に回転可能に連結されている。
【００２７】
スライダー７が縦枠ガイドレール６に沿って上下方向にスライドすると、各ステー８，９が回動し、障子３が開閉する。スライダー７が縦枠ガイドレール６の上端部に到達すると、障子３は閉じた状態（閉位置）になる。一方、スライダー７が縦枠ガイドレール６の中間位置に移動すると、障子３は開いた状態（開位置）になる。
【００２８】
図１および図２に示すように、作動装置４は、窓操作装置１０と、取付部材１１と、作動アーム１２と、連結アーム１３と、ガイドレール１４と、ロック機構１５と、を含んでいる。窓操作装置１０は、障子３の開閉操作を行うために設けられている。取付部材１１は、窓枠２の下枠部材２ｂに固定されている。作動アーム１２は、窓枠２（取付部材１１）と障子３（ガイドレール１４）との間に架設されている。連結アーム１３は、窓操作装置１０と作動アーム１２との間に架設されている。ガイドレール１４は、障子３の障子枠３ａの下部（下かまち３ｃ）に固定されている。ロック機構１５は、閉位置に変位させた障子３を保持する。
【００２９】
窓操作装置１０は、ケーシング２０と、操作軸２１と、ホイール部２２と、を含んでいる。ケーシング２０は、例えば、合成樹脂製で、前方を開口した略箱状に形成されている。操作軸２１は、軸周りに回転可能にケーシング２０に支持されている。ホイール部２２は、窓枠２側に回転可能に設けられている。
【００３０】
ケーシング２０は、開口を下枠部材２ｂの室内側に当接させ、複数のネジ（図示せず）で固定されている。操作軸２１は、ケーシング２０の右側に配置され、後斜め上方に延出している。操作軸２１の後部（ケーシング２０から露出した部分）には、操作ハンドル２３が取り付けられている。
【００３１】
ホイール部２２は、平面から見て略扇状に形成され、ケーシング２０の内部に配置されている。ホイール部２２は、上下方向に延びるホイール軸２２ａを中心に回転可能に設けられている。ホイール部２２の円周面には、複数の凹凸を連続させて成る歯部２２ｂが形成されている。歯部２２ｂは、操作軸２１の先端部（前端部）に固定されるウォーム２１ａに噛み合っている。これにより、操作軸２１の軸周りの回転が、ホイール部２２のホイール軸２２ａ周りの回転に変換される。また、ホイール部２２は、径方向外側に向けて延出するホイールアーム２４を有している。
【００３２】
図２に示すように、取付部材１１は、例えば、ステンレス製で、下枠部材２ｂに沿って左右方向に延設されている。取付部材１１は、縦板部３０と、横板部３１と、フック板部３２と、ガイド板部３３と、を含んでいる。
【００３３】
縦板部３０は、窓枠２の下枠部材２ｂの屋外側に当接して複数のネジ（図示せず）で固定されている。縦板部３０には、ホイールアーム２４を出没させるためのアーム開口３０ａが形成されている（図４参照）。図２ないし図４に示すように、横板部３１は、縦板部３０の左右方向略中間部で、縦板部３０の下端部から前方に延出している。フック板部３２は、横板部３１の右側で、縦板部３０から前方に延出している。フック板部３２は、横板部３１と平行に、且つ横板部３１よりも上方に形成されている（図４参照）。フック板部３２には、第２被係止部としての第２係止凹部７３が左側から右側に向けて凹設されている。
【００３４】
ガイド板部３３は、横板部３１の左側で、縦板部３０から前方に延出している。ガイド板部３３は、横板部３１と平行に、且つフック板部３２よりも上方に形成されている（図４参照）。ガイド板部３３には、平行長穴３４と湾曲長穴３５とが穿設されている。平行長穴３４は、平面から見て左右方向に長く形成されている。湾曲長穴３５は、平面から見て平行長穴３４の左右方向中間部から左前方に向けて円弧状に形成されている。湾曲長穴３５は、障子３を開閉するときの作動アーム１２の回動方向に沿って形成されている。
【００３５】
図１および図２に示すように、作動アーム１２は、例えば、ステンレス製で、平面から見て細長い略矩形板状に形成されている。作動アーム１２は、その基端部（一端部）が窓枠２側に回転可能に連結されている。作動アーム１２は、基端側から順に、第１アーム部４０と、第２アーム部４１と、第３アーム部４２と、を連接して一体に形成されている。図１および図４に示すように、第１アーム部４０、第２アーム部４１および第３アーム部４２は、それぞれ、略平行に形成されている。第２アーム部４１は、第１アーム部４０よりも僅かに下方に形成されている。第３アーム部４２は、第２アーム部４１よりも僅かに下方に形成されている。
【００３６】
図３および図４に示すように、第１アーム部４０の基端部は、取付部材１１のガイド板部３３の上側に配置されている。第１アーム部４０の基端部には、２つのガイドピン４３が長手方向に並設されている。各ガイドピン４３は、第１アーム部４０の下面から下方に突出している。各ガイドピン４３は、円筒部４３ａの下端部から径方向に広がるフランジ部４３ｂを有している。各ガイドピン４３は、ガイド板部３３の平行長穴３４等を挿通している。なお、各円筒部４３ａは各長穴３４，３５を挿通可能な外径を有し、各フランジ部４３ｂは各長穴３４，３５を挿通不能な外径を有している。
【００３７】
ガイド板部３３の下側には、２つのガイドピン４３に架け渡されるワッシャー４３ｃが配置されている。２つのガイドピン４３には、それぞれ、コイルバネ４３ｄが嵌合している（図４参照）。２つのコイルバネ４３ｄは、それぞれ、フランジ部４３ｂを受けにしてワッシャー４３ｃを上方に付勢している。これにより、ワッシャー４３ｃは、平行長穴３４等の下側縁部に当接する。各ガイドピン４３が各コイルバネ４３ｄを弾性変形させながら上下方向に移動することで、作動アーム１２の回動時の上下方向のズレを吸収している。
【００３８】
図１ないし図４に示すように、第１アーム部４０の先端部（他端部）の上面には、アーム軸４０ａが上方に向けて突設されている。第１アーム部４０の長手方向中間部（アーム軸４０ａよりも基端側）には、第１係止部としての第１係止凹部７０が前側から後側に向けて凹設されている。正確には、第１係止凹部７０は、平面から見て基端側の折曲するクランク状に形成されている。
【００３９】
第２アーム部４１の先端側の下面には、第２係止部としての第２係止ピン７１が下方に向けて突設されている。第３アーム部４２の先端部の上面には、摺動部としての摺動ピン４４が上方に向けて突設されている。摺動ピン４４は、ピン本体４４ａの上端部から径方向に広がる頭部４４ｂを有している。
【００４０】
図２に示すように、連結アーム１３は、例えば、ステンレス製で、平面から見て細長い略矩形板状に形成されている。連結アーム１３は、ホイールアーム２４と作動アーム１２との間に架設されている。連結アーム１３の基端部（一端部）は、上下方向に延びる連結軸１３ａを介してホイールアーム２４の先端部に回転可能に連結されている。連結アーム１３の先端部（他端部）は、第１アーム部４０のアーム軸４０ａに回転可能に連結されている。なお、連結アーム１３の先端部は、基端側よりも下方に形成されている。
【００４１】
図１、図２、図５および図６に示すように、ガイドレール１４は、略Ｌ字状の断面を有し、障子３の下かまち３ｃに沿って左右方向に延設されている。ガイドレール１４は、縦板部５０と、横板部５１と、レール部５２と、ゲート部５３と、開閉操作部５４と、を含んでいる。なお、ガイドレール１４（開閉操作部５４の一部を除く）は、例えば、ステンレスで形成されている。
【００４２】
縦板部５０は、下かまち３ｃの屋内側に当接して複数のネジ（図示せず）で固定されている（図２参照）。横板部５１は、縦板部５０の上端部から後方に延出している。横板部５１の後端部には、左右方向中間部から左側に向けて僅かに上り勾配となる傾斜部５１ａが形成されている（図６参照）。
【００４３】
図２および図５に示すように、レール部５２は、横板部５１に穿設される左右方向に長い長穴である。レール部５２の幅（前後幅）は、摺動ピン４４のピン本体４４ａの通過を許容すると共に摺動ピン４４の頭部４４ｂの通過を規制するように形成されている。レール部５２には、作動アーム１２の摺動ピン４４がスライド可能に係合する。レール部５２の屋外側の摺接縁５２ａは、平面から見て下かまち３ｃと平行に形成されている。一方、レール部５２の屋内側の摺接縁５２ｂは、平面から見て左右方向中間部から右側に向けて僅かに屋外側に傾斜している。したがって、レール部５２の右側の幅（前後の間隔）は、その左側の幅よりも僅かに狭く形成されている。両摺接縁５２ａ，５２ｂは、作動アーム１２に摺接し、作動アーム１２のスライドを案内する。
【００４４】
図５および図６に示すように、横板部５１の左右方向中間部よりも右側には、後端面からレール部５２に向けて連通路５５が切り込まれている。つまり、連通路５５は、レール部５２の内部と外部とを連通させるように横板部５１に形成されている。連通路５５の幅（左右幅）は、摺動ピン４４のピン本体４４ａの通過を許容すると共に摺動ピン４４の頭部４４ｂの通過を規制するように形成されている。
【００４５】
ゲート部５３は、長穴としてのレール部５２に連通する連通路５５を覆うように横板部５１の屋内側に立設されている。ゲート部５３は、横板部５１の後側で連通路５５に架け渡される略アーチ状に形成されている。ゲート部５３は、左右一対の縦壁部５３ａと、左右一対の横壁部５３ｂと、連結壁５３ｃと、を含んでいる。ゲート部５３は、側面から見て略Ｌ字状に形成されている（図７参照）。左右一対の縦壁部５３ａは、背面から見て連通路５５を挟む位置に配置され、横板部５１の後端部から上方に延出している。左右一対の横壁部５３ｂは、それぞれ、縦壁部５３ａの上端部から後方に延出している。連結壁５３ｃは、左右一対の横壁部５３ｂの前端部に架設されている。
【００４６】
各縦壁部５３ａと各横壁部５３ｂと連結壁５３ｃとによって囲まれる範囲には、連通空間５６が形成されている。連通空間５６は、連通路５５の後端部から上方に連続して形成されている（図７も参照）。連通空間５６の幅（左右幅）は、摺動ピン４４の頭部４４ｂの通過を許容するように形成されている。したがって、ゲート部５３は、レール部５２に対し、前後方向（障子３の回転方向）に沿って摺動ピン４４を係合または離脱させるように形成されている。
【００４７】
図６に示すように、ゲート部５３の左右一対の縦壁部５３ａには、それぞれ、位置保持突起５７（位置保持部）が突設されている。左右一対の位置保持突起５７は、縦壁部５３ａの左右方向外端面から外方に僅かに突出している。
【００４８】
図５および図６に示すように、開閉操作部５４は、ゲート部５３を開閉可能に設けられている。開閉操作部５４は、後方からゲート部５３を抱え込むように取り付けられ、ゲート部５３にスライド可能に支持される。開閉操作部５４は、スライド本体６０と、スライド板６１と、を含んでいる。
【００４９】
スライド本体６０は、板保持部６０ａと、左右一対の保持アーム部６０ｂと、を含み、例えば、合成樹脂で一体に形成されている。
【００５０】
板保持部６０ａは、略直方体状に形成されている。板保持部６０ａの左右方向中間部の前側は、ゲート部５３の連通空間５６に嵌合している。板保持部６０ａの左右方向両端部の前端面は、それぞれ、ゲート部５３の縦壁部５３ａの背面に摺接している。
【００５１】
左右一対の保持アーム部６０ｂは、板保持部６０ａの左右両端部から外側に延びた先端部を前方に屈曲させて形成されている。左右一対の保持アーム部６０ｂは、平面から見て左右対称となる略Ｌ字状に形成されている。各保持アーム部６０ｂの先端部には、左右方向内側に突出する爪部６０ｃが形成されている。左右一対の保持アーム部６０ｂは、左右一対の縦壁部５３ａを外側から抱え込む。左右一対の爪部６０ｃは、各縦壁部５３ａの前面に係合する。
【００５２】
図７に示すように、スライド板６１は、スライド本体６０に保持されている。スライド板６１は、保持板部６１ａと、レール構成部６１ｂと、連結板部６１ｃと、を含み、例えば、ステンレスで一体に形成されている。
【００５３】
保持板部６１ａは、平面から見て略矩形板状に形成されている。レール構成部６１ｂは、平面から見て略矩形板状に形成され、保持板部６１ａの前側に配置されている。レール構成部６１ｂは、保持板部６１ａよりも下側に位置し、保持板部６１ａと平行に形成されている。連結板部６１ｃは、保持板部６１ａの前端部とレール構成部６１ｂとの後端部とに連結されている。したがって、スライド板６１は、側面から見てクランク状に形成されている。なお、平面から見て、保持板部６１ａとレール構成部６１ｂとは同一の左右幅に形成され、連結板部６１ｃは保持板部６１ａ等よりも左右方向に広く形成されている。
【００５４】
保持板部６１ａは、略水平姿勢で、前方からスライド本体６０の板保持部６０ａ内に嵌合している。連結板部６１ｃは、板保持部６０ａの前端面に当接している。レール構成部６１ｂは、板保持部６０ａよりも前方に延出している。レール構成部６１ｂは、連通路５５に嵌合（挿入）可能な左右幅に形成されている。レール構成部６１ｂの先端面（前端面）は、連通路５５に配置された時に、レール部５２の屋内側の摺接縁５２ｂの一部を構成するように傾斜している。すなわち、レール構成部６１ｂの先端面は、平面から見て左側から右側に向けて僅かに屋外側に傾斜している（図５参照）。
【００５５】
スライド本体６０は、スライド板６１を保持した状態で、ゲート部５３の各縦壁部５３ａ（連通空間５６）にガイドされて上下方向にスライドする。開閉操作部５４（スライド板６１）は、連通路５５を閉鎖してレール部５２の摺接縁５２ｂの一部を構成する位置に設定される閉鎖位置Ｐ１と、連通路５５を開放して摺動ピン４４の挿通を許容する位置に設定される開放位置Ｐ２と、の間でスライドする（図６参照）。
【００５６】
ここで、左右一対の保持アーム部６０ｂは、ゲート部５３の各位置保持突起５７を乗り越えるときに、自身の弾性力に抗して外側に広げられる。このように、上記した各位置保持突起５７は、開閉操作部５４のスライドに負荷（抵抗）を与えるために設けられている。また、各位置保持突起５７は、閉鎖位置Ｐ１または開放位置Ｐ２に変位した開閉操作部５４を保持する（図６参照）。
【００５７】
図２および図３に示すように、ロック機構１５は、作動アーム１２に設けられた第１係止凹部７０および第２係止ピン７１と、障子３の下かまち３ｃに設けられた第１係止ピン７２と、取付部材１１に設けられた第２係止凹部７３と、を含んでいる。
【００５８】
次に、すべり出し窓１の作用について説明する。まず、障子３の開閉動作について説明する。なお、以下の説明では、開閉操作部５４は、閉鎖位置Ｐ１に変位していることとする（図７参照）。
【００５９】
図示は省略するが、障子３を閉位置（窓枠２内）に変位させた状態で、窓操作装置１０のホイールアーム２４は、下枠部材２ｂ側に引き付けられている。この状態で、取付部材１１、作動アーム１２、連結アーム１３およびガイドレール１４は、それぞれ、窓枠２の下枠部材２ｂの前側において略平行に重なるように配置されている。
【００６０】
この状態で、図３に示すように、障子３の第１係止ピン７２は、作動アーム１２の第１係止凹部７０に係合している。また、作動アーム１２の第２係止ピン７１は、取付部材１１の第２係止凹部７３に係合している。つまり、ロック機構１５は、障子３の回動を規制している。これにより、障子３は、閉位置に保持される。また、この状態で、作動アーム１２の各ガイドピン４３は、取付部材１１の平行長穴３４の右側に位置している。作動アーム１２の摺動ピン４４は、ガイドレール１４のレール部５２の右端部に位置している。
【００６１】
続いて、障子３を開位置に回動させる場合、ユーザーは、窓操作装置１０の操作ハンドル２３を一方に回転させる。操作ハンドル２３の回転力は、操作軸２１（ウォーム２１ａ）を介してホイール部２２を図２で時計回りに回転させる。ホイールアーム２４は、前方に突出するように回動する。
【００６２】
ホイールアーム２４が回動し始めると、連結アーム１３は、僅かに図２で時計回りに回動し、作動アーム１２を左方向に押し出す。作動アーム１２が左方向にスライドすると、作動アーム１２の第１係止凹部７０は、障子３の第１係止ピン７２から離脱し、作動アーム１２の第２係止ピン７１は、取付部材１１の第２係止凹部７３から離脱する。つまり、ロック機構１５による障子３の回動規制が解除される。また、作動アーム１２の各ガイドピン４３は、取付部材１１の平行長穴３４に案内されて左方向にスライドする。
【００６３】
ホイールアーム２４の回動が進むと、基端側（左側）のガイドピン４３が平行長穴３４の左端部に当接し、作動アーム１２が基端側のガイドピン４３を中心に図２で時計回りに回動し始める。このとき、先端側（右側）のガイドピン４３は、取付部材１１の湾曲長穴３５に進入する。
【００６４】
ホイールアーム２４の回動が更に進むと、作動アーム１２は、障子３を前方に押し出すように回動する。障子３は、上記した障子支持機構５の作用によって、窓枠２の上辺を中心に回動する。すなわち、障子３は、回転軸８ａを中心に回転する第１ステー８を介して前方に回動する（図１参照）。作動アーム１２の摺動ピン４４は、ガイドレール１４のレール部５２の右端部から左方向にスライドする。摺動ピン４４がレール部５２の左端部に到達すると、障子３が開位置に変位したこととなる（図２参照）。なお、摺動ピン４４がレール部５２の左端部に当接することで、障子３の開放角度が規制されている。
【００６５】
なお、ユーザーは、操作ハンドル２３を他方に回転させることで障子３を開位置から閉位置に回動させることができる。障子３の閉鎖動作は、上記した障子３の開放動作の逆であるため、その詳細な説明は省略する。
【００６６】
次に、障子３の開放角度の規制を解除する作用（工程）について説明する。なお、初期状態として障子３は開位置に変位していることとする（図２参照）。
【００６７】
まず、図８に示すように、ユーザーは、開閉操作部５４を上方にスライドさせる。開閉操作部５４は、各位置保持突起５７によって開放位置Ｐ２に保持される。これにより、連通路５５が開放される。続いて、ユーザーは、操作ハンドル２３を他方に回転させて、障子３を閉じる方向に移動させる。作動アーム１２の摺動ピン４４は、レール部５２を左側から右側にスライドする（図５参照）。摺動ピン４４が連通路５５に進入可能な位置まで移動すると、摺動ピン４４は、連通路５５を通ってレール部５２の内側から離脱する。このとき、摺動ピン４４の頭部４４ｂは、ゲート部５３の連通空間５６を通過する。
【００６８】
以上によって、摺動ピン４４がレール部５２から引き抜かれ、障子３と作動アーム１２との連結が解除される。そして、障子３の開放角度の規制も解除される。この状態で、障子支持機構５のスライダー７は、縦枠ガイドレール６の下端部まで移動することができる。これにより、障子３を略水平姿勢にまで開くことができ（図示せず）、障子３の屋外側を簡単に清掃することができる。
【００６９】
なお、障子３と作動アーム１２とを連結する場合には、上記工程と逆工程を実行すればよい。すなわち、摺動ピン４４の頭部４４ｂをゲート部５３の連通空間５６に挿入すると共に、摺動ピン４４のピン本体４４ａを連通路５５に挿入する。そして、摺動ピン４４をレール部５２に係合させる。続いて、ユーザーは、開閉操作部５４を閉鎖位置Ｐ１（下方）にスライドさせ（図７参照）、連通路５５を閉鎖する。
【００７０】
以上説明した本実施形態に係るすべり出し窓１によれば、摺動ピン４４は、障子３の回転方向に沿ってゲート部５３を挿通することで、レール部５２に係脱（係合または離脱）する。レール部５２の長手方向中間部に設けられたゲート部５３において摺動ピン４４を係脱させることができる。これにより、例えば、摺動ピン４４の係脱構造をレール部５２の端部に形成する必要がなくなるため、ガイドレール１４の小型化を図ることができる。また、摺動ピン４４が障子３の回動方向に沿ってレール部５２に係脱するため、作動アーム１２の変形を最小限に抑えることができる。これにより、摺動ピン４４の係脱作業を小さな力で簡単に行うことができる。
【００７１】
また、本実施形態に係るすべり出し窓１によれば、開閉操作部５４は、閉鎖位置Ｐ１に変位することでレール部５２（長穴）の摺接縁５２ｂの一部を構成する。これにより、摺動ピン４４は、レール部５２に沿って円滑にスライドすることができる。また、開閉操作部５４は、ゲート部５３にスライド可能に支持されると共に、位置保持突起５７によって変位した位置で保持される。開閉操作部５４が閉鎖位置Ｐ１に保持されることで、レール部５２に対する摺動ピン４４の円滑なスライドを担保することができる。一方、開閉操作部５４が開放位置Ｐ２に保持されることで、レール部５２に対する摺動ピン４４の係脱作業を円滑に行うことができる。
【００７２】
また、以上説明したように、障子３を閉じる方向にホイール部２２を回動させると、作動アーム１２は、第１係止凹部７０を第１係止ピン７２に係合させると共に第２係止ピン７１を第２係止凹部７３に係合させる方向に移動する。一方、障子３を開く方向にホイール部２２を回動させると、作動アーム１２は、第１係止凹部７０を第１係止ピン７２から離脱させると共に第２係止ピン７１を第２係止凹部７３から離脱させる方向に移動する。このすべり出し窓１によれば、障子３を閉じる動作に連動して、作動アーム１２の第１係止凹部７０および第２係止ピン７１（係止部）は、障子３の第１係止ピン７２および取付部材１１の第２係止凹部７３（被係止部）に係合（ロック）する。一方、障子３を開く動作に連動して、作動アーム１２の係止部は、被係止部との係合を解除（ロック解除）される。つまり、障子３を開閉させるだけで、障子３のロック・アンロックを行うことができる。
【００７３】
なお、本実施形態に係るすべり出し窓１は、障子３を窓枠２の上辺周りに回転可能に支持させた所謂横すべり出し窓であったが、本発明はこれに限定されない。例えば、障子を窓枠の下辺周りに回転可能に支持させてもよい。他にも、障子を窓枠の縦枠（垂直方向に延びる一辺）を中心に回転可能に支持させてもよい（所謂縦すべり出し窓）。
【００７４】
なお、本実施形態に係るすべり出し窓１は、窓枠２（障子３）の下側に作動装置４を設けていたが、本発明はこれに限定されない。作動装置４は、障子３の回動軸とは異なる一辺に設けられていればよい。
【００７５】
なお、上記実施形態の説明は、本発明に係るすべり出し窓における一態様を示すものであって、本発明の技術範囲は、上記実施形態に限定されるものではない。上記実施形態における構成要素は、適宜、既存の構成要素等との置き換えや組み合わせが可能であって、上記実施形態の記載をもって、特許請求の範囲に記載された発明の内容を限定するものではない。
【符号の説明】
【００７６】
１  すべり出し窓
２  窓枠
３  障子
４  作動装置
１１  取付部材
１２  作動アーム
１３  連結アーム
１４  ガイドレール
１５  ロック機構
２２  ホイール部
４４  摺動ピン（摺動部）
５２  レール部
５２ｂ  摺接縁
５３  ゲート部
５４  開閉操作部
５５  連通路
５７  位置保持突起（位置保持部）
７０  第１係止凹部（第１係止部）
７１  第２係止ピン（第２係止部）
７２  第１係止ピン（第１被係止部）
７３  第２係止凹部（第２被係止部）
Ｗ  壁部
【図１】
2017115420.tif 000003
【図２】
2017115420.tif 000004
【図３】
2017115420.tif 000005
【図４】
2017115420.tif 000006
【図５】
2017115420.tif 000007
【図６】
2017115420.tif 000008
【図７】
2017115420.tif 000009
【図８】
2017115420.tif 000010